(57)【要約】【課題】  障害判定すること、回線停止の原因が作業／障害のどちらであるかを迅速に判定して通知することのできる通信ネットワーク管理システムを提供する。【解決手段】  通信ネットワーク管理システムにおいて、回線を示す構成情報を含む回線構成テーブルと、区間情報を含む傘テーブルと、各通信設備及び各伝送路の障害情報を収集する情報収集部と、傘テーブルを検索して、障害の通信設備を含む区間若しくは障害の伝送路に接続される通信設備を含む区間及下位の区間を特定して、これらの区間の稼動状態が故障により異常が発生したことを出力装置に出力する判定部とを具備して構成する。【選択図】図１
2006074310.tif 000002
【特許請求の範囲】
【請求項１】
データの多重化・分離を行う複数の通信設備及び該通信設備間を接続する伝送路により複数レベルに階層構成された階層網並びにパケットに設定された送信先アドレスに基づいてルーティングする複数のルータ及び該ルータ間を接続する伝送路から成るルータ網を管理する通信ネットワーク管理システムにおいて、
前記階層網に収容される送信元の第１の端設備と受信先の第２の端設備間について、前記第１の端設備が前記第２の端設備宛に送信したデータを受信して上位通信設備に送信する通信設備を始端及び上位通信設備より受信して前記第２の端設備に送信する通信設備を終端とする回線を示す構成情報を含む回線構成テーブルと、
前記始端及び前記終端とする区間並びに前記階層構成上同一レベルの通信設備を始端及び終端とする前記区間の上位の全ての区間について、該区間の始端及び終端を示す区間情報及び該区間の上位区間の始端及び終端を示す上位区間情報を含む傘テーブルと、
前記各通信設備及び前記各伝送路の障害情報を収集する情報収集部と、
前記傘テーブルを検索して、前記情報収集部により収集された障害の通信設備が始端又は終端である区間若しくは前記情報収集部により収集された障害の伝送路に接続される通信設備が始端又は終端である区間及び該区間を上位区間とする下位の区間を特定して、これらの区間の稼動状態が故障により異常が発生したことを出力装置に出力する判定部と、
を具備したことを特徴とする通信ネットワーク管理システム。
【請求項２】
前記判定部は、前記回線構成テーブルを検索して、前記情報収集部により収集された障害の通信設備が始端又は終端である区間若しくは前記情報収集部により収集された障害の伝送路に接続される通信設備が始端又は終端である区間の下位区間である回線を特定して、該回線の稼動状態が故障により異常が発生したことを前記出力装置に出力することを特徴とする通信ネットワーク管理システム。
【請求項３】
前記通信設備又は前記伝送路について、該通信設備又は該伝送路を特定する作業対象、作業開始及び終了時刻及び作業内容を示す作業情報を格納する作業情報テーブルを更に具備し、前記判定部は、前記傘テーブルを検索して、前記作業情報テーブルに格納された作業対象の通信設備を始端又は終端若しくは作業対象の伝送路に接続される通信設備を始端又は終端とする区間及び該区間を上位区間とする下位の区間を特定して、当該作業開始時刻及び作業終了時刻に基づいてこれらの区間の稼動状態が作業により異常が発生する又は作業により発生していることを前記出力装置に出力することを特徴とする請求項１記載の通信ネットワーク管理システム。
【請求項４】
前記隣接するルータについて送信ルータを始端及び受信ルータを終端とするセクションを定義するセクション情報を格納するセクションテーブルと、各ルータについてルーティング情報を格納するルーティングテーブルとを備え、前記作業テーブルには、前記ルータ又は該ルータ間を接続する伝送路について、該ルータ又は該伝送路を特定する作業対象、作業開始及び終了時刻及び作業内容を示す作業情報が格納され、前記判定部は、前記セクションテーブルを検索して、前記作業対象のルータを始端又は終端とするセクション若しくは作業対象の伝送路に接続されるルータを始端又は終端とするセクションを特定して、当該作業開始時刻及び作業終了時刻に基づいて該セクションの稼動状態が作業により異常が発生する又は異常が発生していることを前記出力装置に出力する請求項３記載の通信ネットワーク管理システム。
【請求項５】
前記判定部は、前記ルーティングテーブルを検索して、前記作業情報テーブルに格納された作業対象のルータ又は作業対象の伝送路に接続されるルータを特定して、当該作業開始時刻及び作業終了時刻に基づいて該ルータを経由するルートについて稼動状態が作業により異常が発生する又は異常が発生していることを前記出力装置に出力することを特徴とする請求項４記載の通信ネットワーク管理システム。
【発明の詳細な説明】
【技術分野】
【０００１】
本発明は、通信サービスを提供するネットワークの構成管理システムと状態監視システムに関する。
【背景技術】
【０００２】
通信ネットワークは、多重化・分離をする複数の通信装置及び通信装置間を接続する伝送路より構成された複数階層のネットワーク（階層網と呼ぶ）や複数のルータ及びルータ間を接続する伝送路より構成されるルータ網などにより構築される。通信ネットワークは、伝送路や通信装置等の故障により通信が不通になることから、故障を判定して、障害が発生した場合には、他ルートに切り替える等の制御が一般に行われている。従来、多ルート構成ネットワークの障害を判定して、別ルートに切り替える先行技術として、特許文献１，２がある。
【０００３】
特許文献１は、多ルート構成ネットワークを端末間の各ルートについて接続情報及び切り替え先、パスについて上位パスやルートへの階層情報及び接続情報を定義しておき、パスや交換機に障害が発生した場合には、障害により影響を受けて停止するルートを判定して、切り替え先のルートに切り替えることを開示している。
【０００４】
特許文献２は、ネットワーク環境において障害発生の監視を容易に行え、障害発生による業務レベルでの影響範囲の問題点をビューアー上での視覚化により容易に把握できるネットワーク監視システムを提供することを開示している。
【特許文献１】特開平６−１０４８９４号公報
【特許文献２】特開２００２−２４４９３９号公報
【発明の開示】
【発明が解決しようとする課題】
【０００５】
しかしながら、先行技術では以下の問題点があった。
【０００６】
特許文献１は多ルート構成を持つ回線及び交換機網を管理しているが、障害発生時のルートの切替先を固定的に管理しているため、ルーティングテーブルによって動的に切り替えが行われる網構成のネットワークにおける停止を判断できないという問題点がある。また、ルートの始端情報及び終端情報ともに端末側から見た直近の伝送路パス及び交換機パスの情報を管理する方式であるため、ルートが複数の交換機パスを経由する場合には、ルートを経由するパス全体を管理することができず、当該ルートの途中のパスに故障が発生した場合や途中のパスに係わる交換機に故障が発生した場合には、当該ルートについて停止を判定することができないという問題点がある。更に、特許文献１は階層網での障害を判定するものであってルータ網での障害を判定するものでないことから、ルータ網において定期点検や修理などでルータなどの設備を停止する場合に事前に回線停止を回避することができないという問題点がある。
【０００７】
特許文献２はルーティング情報、論理接続情報、ノード固有情報などをＸＭＬファイル形式のデータベースで管理しているが、定期点検や修理などで設備を停止する場合、ルーティング情報に設備の停止に係わる情報を含める必要があるが障害判定処理でルーティング情報を使用していないため、事前に回線停止を回避することができず、回線停止発生時には停止原因が作業／障害のどちらであるかを迅速に判別することはできない。
【０００８】
本発明の目的は、上記を鑑みてなされたものであり、階層網及びルータ網において、各ルートが複数の交換機やルータを経由する場合において、障害判定すること、回線停止の原因が作業／障害のどちらであるかを迅速に判定して通知することのできる通信ネットワーク管理システムを提供することである。
【課題を解決するための手段】
【０００９】
本発明の一側面によれば、データの多重化・分離を行う複数の通信設備及び該通信設備間を接続する伝送路により複数レベルに階層構成された階層網並びにパケットに設定された送信先アドレスに基づいてルーティングする複数のルータ及び該ルータ間を接続する伝送路から成るルータ網を管理する通信ネットワーク管理システムにおいて、前記階層網に収容される送信元の第１の端設備と受信先の第２の端設備間について、前記第１の端設備が前記第２の端設備宛に送信したデータを受信して上位通信設備に送信する通信設備を始端及び上位通信設備より受信して前記第２の端設備に送信する通信設備を終端とする回線を示す構成情報を含む回線構成テーブルと、前記始端及び前記終端とする区間並びに前記階層構成上同一レベルの通信設備を始端及び終端とする前記区間の上位の全ての区間について、該区間の始端及び終端を示す区間情報及び該区間の上位区間の始端及び終端を示す上位区間情報を含む傘テーブルと、前記各通信設備及び前記各伝送路の障害情報を収集する情報収集部と、前記傘テーブルを検索して、前記情報収集部により収集された障害の通信設備が始端又は終端である区間若しくは前記情報収集部により収集された障害の伝送路に接続される通信設備が始端又は終端である区間及び該区間を上位区間とする下位の区間を特定して、これらの区間の稼動状態が故障により異常が発生したことを出力装置に出力する判定部とを具備したことを特徴とする通信ネットワーク管理システムが提供される。
【発明の効果】
【００１０】
本発明によれば、階層網に収容される第１及び第２の端設備間の回線が回線構成テーブル及び傘テーブルに上位区間が定義されているので、どの区間に障害が発生しても、該区間を上位区間とする下位区間を特定することができるので、上位区間の障害により影響を受ける全ての区間及び回線の障害を特定することができ、迅速に障害に対応することができる。
【発明を実施するための最良の形態】
【００１１】
本発明の実施形態の説明をする前に本発明の原理を説明する。図１は原理図である。図１に示すように、通信ネットワーク管理システム１０は、データの多重化・分離を行う複数の通信設備１８＃ｉ（ｉ＝１〜ｎ＋１）及び該通信設備１８＃ｉ（ｉ＝１〜ｎ）間を接続する伝送路１９により複数レベルに階層構成された階層網１２並びにパケットに設定された送信先アドレスに基づいてルーティングする複数のルータ２０及びルータ２０間を接続する伝送路から成るルータ網１４を管理する。通信ネットワーク管理システム１０は、回線構成テーブル３０、傘テーブル３２、情報収集部３４及び判定部３６を具備する。
【００１２】
回線構成テーブル３０は、階層網に収容される送信元の第１の端設備１６＃１と受信先の第２の端設備１６＃２間について、第１の端設備１６＃１が第２の端設備１６＃２宛に送信したデータを受信して上位通信設備に送信する通信設備を始端及び上位通信設備より受信して第２の端設備１６＃２に送信する通信設備を終端とする回線を示す構成情報を含む。傘テーブル３２は、階層網１２について、始端及び終端とする区間並びに階層構成上同一レベルの通信設備を始端及び終端とする区間の上位の全ての区間について、該区間の始端及び終端を示す区間情報及び該区間の上位区間の始端及び終端を示す上位区間情報を含む。例えば、区間１８＃１−１８＃２の上位区間は１８＃３−１８＃４である。
【００１３】
情報収集部３４は、各通信設備１８＃ｉ（ｉ＝１〜（ｎ＋１））及び伝送路１９の障害情報を収集する。判定部３６は、傘テーブル３２を検索して、情報収集部３４により収集された障害の通信設備が始端又は終端である区間若しくは情報収集部３４により収集された障害の伝送路に接続される通信設備が始端又は終端である区間及び該区間を上位区間とする下位の区間を特定して、これらの区間の稼動状態が故障により異常が発生したことを出力装置に出力する。これにより、回線構成テーブル３０及び傘テーブル３２に複数に階層構成された階層網１２の各区間及び上位区間を定義しているので、通信設備１８＃ｉ（ｉ＝１〜（ｎ＋１））又は伝送路１９に障害が発生しても、障害による障害区間及び影響を受ける下位区間を全て特定することができ、迅速に障害に対応することができる。
【００１４】
図２は本発明の実施形態の通信ネットワークを示す図である。通信ネットワークは、階層網５０、ルータ網５２及び通信ネットワーク管理システム５４により構成されている。
【００１５】
図３は階層網５０、ルータ網５２及び通信ネットワーク管理システム５４の構成例を示す図である。階層網５０は、多重化装置（ＭＵＸ）、無線装置等により階層構成されたネットワークである。階層構成されたネットワークとは、パソコン等の端設備の出力ポートと相手側の端設備の入力ポートとを接続するパスが予め設定されており、当該出力ポートから送出されたデータが設定されたパスに多重化・分離されて相手端設備の入力ポートで受信されるネットワーク構成である。階層網５０を構成する設備には多重化装置（ＭＵＸ）、交換機、無線装置等がある。また、階層網５０には中継装置等のように同一レベルの通信設備が３台以上カスケード接続される場合も含まれる。
【００１６】
例えば、ＭＵＸ７０＃Ｂ、無線機７２＃Ｃ、無線機７２＃Ｄ、ＭＵＸ７０＃Ｅより階層網５０が構成される。この例では、回線が端設備６０＃Ａ〜端設備６０＃Ｊに定義されている。端設備６０＃Ａ〜端設備６０＃Ｊの回線は、端設備６０＃Ａ→ＭＵＸ７０＃Ｂ→無線機７２＃Ｃ→無線機７２＃Ｄ→ＭＵＸ７０＃Ｅ→端設備６０＃Ｊの第１ルートである。ＭＵＸ７０＃Ｂ，７０＃Ｅは、入力ポートよりデータを受信すると、設定されたパスに従って、入力ポートに該当する出力ポートよりデータを多重化して送出し、入力ポートよりデータを受信すると、設定されたパスに従って、入力ポートに該当する出力ポートよりデータを分離して送出する。無線機７２＃Ｃ，７２＃Ｄは、ＭＵＸ７０＃Ｂ，７０＃Ｅ等が接続される入力ポートより受信したデータを無線送信すること、無線受信したデータを該当の出力ポートに送出する。
【００１７】
ルータ網５２は複数のルータ及びルータ間を接続する伝送路により構成されるネットワークである。例えば、ルータ８０＃Ｆ，８０＃Ｇ，８０＃Ｈ，８０＃ＩよりネットワークＮＷ１が構成される。ここで、ネットワークとはルーティングテーブルを共有する単位である。尚、本実施形態ではルーティングテーブルを共有する１つの網であっても、本支店網と支店内網のように人的な管理単位が異なる場合には、本支店間網と支店内網に別々の網ＩＤを付与することも可能である。
【００１８】
ルータ８０＃Ｆ〜８０＃Ｉは、ＩＰパケットを受信すると、ルーティングテーブルを参照して、ＩＰヘッダに設定されたＩＰアドレスに該当する出力ポートにＩＰパケットを送出する。この例では、回線が、端設備６０＃Ａ〜端設備６０＃Ｊ間に定義されており、端設備６０＃Ａ〜端設備６０＃Ｊ間の回線の第２のルートがルータ網５２である。このように、端設備６０＃Ａ〜端設備６０＃Ｊ間の回線について、階層網５０を経由する第１のルートとルータ網５２を経由する第２のルートにより多ルート化されている。
【００１９】
図４はＭＵＸ７０＃Ｂ，７０＃Ｅが複数の入出力ポート（チャネル）を持つ場合の通信設備の構成例を示す図である。図４に示すように、ＭＵＸ７０＃Ｂは端設備６０＃Ａ１，６０＃Ａ２を収容する複数の入力ポートを有し、ＭＵＸ７０＃Ｅは端設備６０＃Ｊ１，６０＃Ｊ２を収容する複数の出力ポートを有する。図４中のＣＨ０１は端設備６０＃Ａ１，６０＃Ｊ１の回線が収容されるチャネル、図４中のＣＨ０２は端設備６０＃Ａ２，６０＃Ｊ２の回線が収容されるチャネルである。
【００２０】
この例では、回線が、端設備６０＃Ａ１〜端設備６０＃Ｊ１間、端設備６０＃Ａ２〜端設備６０＃Ｊ２間に定義されている。端設備６０＃Ａ１〜端設備６０＃Ｊ１間の回線の第１のルートが端設備６０＃Ａ１→ＭＵＸ７０＃Ｂ→無線機７２＃Ｃ→無線機７２＃Ｄ→ＭＵＸ７０＃Ｅ→端設備６０＃Ｊ１、端設備６０＃Ａ２〜端設備６０＃Ｊ２間の回線の第１のルートが端設備６０＃Ａ２→ＭＵＸ７０＃Ｂ→無線機７２＃Ｃ→無線機７２＃Ｄ→ＭＵＸ７０＃Ｅ→端設備６０＃Ｊ２である。また、端設備６０＃Ａ１〜端設備６０＃Ｊ１間の回線の第２のルートがルータ網５２、端設備６０＃Ａ２〜端設備６０＃Ｊ２間の回線の第２のルートがルータ網５２であり、回線が多ルート化されている。
【００２１】
図５は無線機７２＃Ｃが多方向を持つ場合の通信設備の構成例を示す図である。図５に示すように、無線機７２＃Ｃが無線機７２＃Ｄ及び無線機７２＃Ｋとの間でデータの送受信を行う場合である。この例では、回線が、端設備６０＃Ａ１〜端設備６０＃Ｊ１間、端設備６０＃Ａ２〜端設備６０＃Ｊ２間、端設備６０＃Ａ１〜端設備６０＃Ｍ１間、端設備６０＃Ａ２〜端設備６０＃Ｍ２間に定義されている。端設備６０＃Ａ１〜端設備６０＃Ｊ１間の回線の第１のルートが端設備６０＃Ａ１→ＭＵＸ７０＃Ｂ→無線機７２＃Ｃ→無線機７２＃Ｄ→ＭＵＸ７０＃Ｅ→端設備６０＃Ｊ１、端設備６０＃Ａ２〜端設備６０＃Ｊ２間の回線の第１のルートが端設備６０＃Ａ２→ＭＵＸ７０＃Ｂ→無線機７２＃Ｃ→無線機７２＃Ｄ→ＭＵＸ７０＃Ｅ→端設備６０＃Ｊ２のルート、端設備６０＃Ａ１〜端設備６０＃Ｍ１間の回線の第１のルートが端設備６０＃Ａ１→ＭＵＸ７０＃Ｂ→無線機７２＃Ｃ→無線機７２＃Ｋ→ＭＵＸ７０＃Ｌ→端設備６０＃Ｍ１のルート、端設備６０＃Ａ２〜端設備６０＃Ｍ２間の回線の第１のルートが端設備６０＃Ａ２→ＭＵＸ７０＃Ｂ→無線機７２＃Ｃ→無線機７２＃Ｋ→ＭＵＸ７０＃Ｌ→端設備６０＃Ｍ２である。
【００２２】
ＭＵＸ部７０＃Ｂ，７０＃Ｅのように通信設備が複数の入出力ポートを有する構成、無線機７２＃Ｃが複数の無線機７２＃Ｄ，７２＃Ｋと通信を行うように、通信設備が複数の通信設備と通信を行う構成、更に中継装置等のように同一レベルの通信設備が複数台カスケード接続される構成等がある。また、端設備６０＃Ａ１〜端設備６０＃Ｊ１間の回線の第２のルートがルータ網５２、端設備６０＃Ａ２〜端設備６０＃Ｊ２間の回線の第２のルートがルータ網５２として、回線が多ルート化されている。
【００２３】
図３に示すように、通信ネットワーク管理システム５４は、処理装置９０、表示装置９２及び印刷装置９４を含む。処理装置９０は、構成管理部１００、情報収集・配信部１０２、状態判定部１０４及びリレーショナルデータベース１０６を有する。処理装置９０は、ＣＰＵ、メインメモリ等から構成される。構成管理部１００は、階層網５０について、傘テーブル１２０、セクションテーブル１２２、ルーティングテーブル１２４、回線構成テーブル１２６及び作業情報テーブル１２８にデータを格納する。
【００２４】
傘テーブル１２０は、階層構成の中で同レベル（伝送速度が同一であり通信相手となる同一レベル）の各通信設備の対向区間について、当該区間の送信側の始端及び受信側の終端の通信設備、当該区間の一つ上のレベルの上位区間についての送信側の始端及び受信側の終端の通信設備、区間の稼動状態、稼動状態が異常である場合の異常原因を格納するテーブルである。
【００２５】
図６は図３に示す階層網５０の傘テーブル１２０の構成例を示す図である。図６に示す階層網５０では、送信側の始端が無線機７２＃Ｃ、受信側の終端が無線機７２＃Ｄである区間について、上位区間なし、区間の稼動状態が正常、異常原因なし、始端がＭＵＸ７０＃Ｂ、終端がＭＵＸ７０＃Ｅである区間について、上位区間の始端が無線機７２＃Ｃ、終端が無線機７２＃Ｄ、区間の稼動状態が正常、異常原因なし、始端が端設備６０＃Ａ、終端が端設備６０＃Ｊとする区間について、上位区間の始端がＭＵＸ７０＃Ｂ、終端がＭＵＸ７０＃Ｅ、区間の稼動状態が正常、異常原因なしの情報が格納される。図６中の破線の矢印は階層関係にある区間の上下関係を表している。尚、同一レベルの通信設備が３台以上カスケード接続されている場合、始端、終端の区間が（当該通信設備の台数−１）の個数分定義される。
【００２６】
図７は図４に示す階層網５０の傘テーブル１２０の構成例を示す図である。図４に示す階層網５０では、ＭＵＸ７０＃Ｂ，７０＃Ｅが複数の入出力ポート（チャネル）を有することから、傘テーブル１２０には、ＭＵＸ７０＃Ｂ，７０＃Ｅ間では、始端がＭＵＸ７０＃Ｂの端設備６０＃Ａ１を収容する入力ポート（ＣＨ０１）、終端がＭＵＸ７０＃Ｅの端設備６０＃Ｊ１を収容する出力ポート（ＣＨ０１）である区間、及び始端がＭＵＸ７０＃Ｂの端設備６０＃Ａ２を収容する入力ポート（ＣＨ０２）、終端がＭＵＸ７０＃Ｅの端設備６０＃Ｊ２を収容する出力ポート（ＣＨ０２）である区間のようにチャネル毎に定義されるとともに上位区間についても収容される上位区間のチャネルが定義される。同様に、通信設備が複数の入出力ポートを有する場合には、入出力ポート毎に区間が定義される。
【００２７】
図８は図５に示す階層網５０の傘テーブル１２０の構成例を示す図である。図５に示す階層網５０では、無線機７２＃Ｃが無線機７２＃Ｄ，７２＃Ｋのように多方向の無線機と通信を行うことから、図８に示すように、始端を無線機７２＃Ｃ、終端を無線機７２＃Ｄとする区間及び始端を無線機７２＃Ｃ、終端を無線機７２＃Ｋとする区間が傘テーブル１２０に定義される。また、ＭＵＸ７０＃Ｂが収容する端設備６０＃Ａ１についてのチャネルＣＨ０１のデータが端設備６０＃Ｍ１及び端設備６０＃Ｊ１で受信されるようパスが設定されている場合には、ＭＵＸ７０＃ＢのチャネルＣＨ０１を始端、ＭＵＸ７０＃Ｌ，７０＃Ｅをそれぞれ終端とする区間が定義される。ＭＵＸ７０＃Ｂが収容する端設備６０＃Ａ２についてのチャネルＣＨ０２についても、同様に定義される。
【００２８】
セクションテーブル１２２は、ルータ網５２について、ルータ間を接続するセクションについての情報を格納するテーブルであり、各セクションについて、網の識別子である網ＩＤ、網内で隣接する設備間の区間であるセクションの送信側の始端及び受信側の終端、始端設備と終端設備が網外の設備と接続する時の接続先設備、当該セクションの稼動状態、当該セクションが異常となったときの異常原因を格納するテーブルである。
【００２９】
図９は図３に示すルータ網５２についてのセクションテーブル１２２の構成例を示す図である。例えば、始端がルータ８０＃Ｆ，終端が８０＃Ｇとするセクションについて、セクションが収容されるネットワークＮＷ１の網ＩＤ、網外接続の始端が設備６０＃Ａ、セクションの稼動状態が正常、異常原因なしが格納されている。また、始端がルータ８０＃Ｆ，終端が８０＃Ｉとするセクションについて、セクションが収容されるネットワークＮＷ１の網ＩＤ、網外接続の始端が端設備６０＃Ａ、終端が端設備６０＃Ｊ、セクションの稼動状態が正常、異常原因なしが格納されている。
【００３０】
回線構成テーブル１２６は、端設備間を接続する回線について、回線の始端設備と終端設備、ルートの識別情報、ルートを構成する設備・区間・網の始端側から見た順序、区間の場合には区間の始端設備と終端設備、設備とルータ網の場合にはそれぞれの識別子、ルートを構成する設備・区間・網の稼動状態、異常状態となった場合の異常原因を格納するテーブルである。
【００３１】
図１０は図３に示す通信設備により構成されたネットワークについての回線構成テーブル１２６の構成例を示す図である。端設備６０＃Ａを始端、端設備６０＃Ｊを終端とする回線について、階層網５０を経由するルート１、ルータ網５２を経由するルート２が設けられている。ルート１について、順序１，区分が階層網５０を経由することを示す区間、始端がＭＵＸ７０＃Ｂ、終端がＭＵＸ７０＃Ｅ、構成の稼動状態が正常、異常原因なし、ルート２について、順序１、区分がルータ網５２を経由することを示す網、始端がＮＷ１、構成の稼動状態が正常、異常原因なしが回線構成テーブル１２６に格納される。尚、この例では、ルート内に順序番号が１の構成しか登録されていないが、ＭＵＸ７０＃Ｅと端設備６０＃Ｊ間またはルータ網ＮＷ１と端設備６０＃Ｊ間に別の区間または網が存在する場合には、順序番号２、複数存在する場合には順序番号２・３・４・・・として登録する。
【００３２】
図１１は図４に示す通信設備により構成されたネットワークについての回線構成テーブル１２６の構成例を示す図である。この階層網５０では、始端，終端が端設備６０＃Ａ１，端設備６０＃Ｊ１の回線について、その構成が区間である場合には、その始端，終端がＭＵＸ７０＃ＢのＣＨ０１，７０＃ＥのＣＨ０１、また、始端，終端が端設備６０＃Ａ２，端設備６０＃Ｊ２の回線について、その構成が区間である場合には、その始端，終端がＭＵＸ７０＃ＢのＣＨ０２，７０＃ＥのＣＨ０２が回線構成テーブル１２６に格納される。
【００３３】
図１２は図５に示す通信設備により構成されたネットワークについての回線構成テーブル１２６の構成例を示す図である。この階層網５０では、図１１の回線構成テーブル１２６に加えて、始端，終端が端設備６０＃Ａ１，端設備６０＃Ｍ１、及び始端，終端が端設備６０＃Ａ１，端設備６０＃Ｍ２の回線について、回線構成テーブル１２６に追加して格納されている。
【００３４】
ルーティングテーブル１２４は、各ルータ８０＃Ｆ〜８０＃Ｉについて、ルーティング情報を格納するテーブルであり、ルーティング情報を管理している（またはルーティング情報を設定すべき）設備（自設備）、データの宛先となる設備、宛先設備宛のデータを次に渡すべき設備、使用するプロトコル、ルーティング方式、自設備〜次設備の区間の稼動状態、当該区間が異常状態となった場合の異常原因を格納するテーブルである。ＩＰ網の場合、プロトコルには、ＴＣＰ／ＩＰ４階層モデルのアプリケーション層の手順であるＨＴＴＰ、ＳＭＴＰ、ＦＴＰ、ＰＯＰ３などが設定される。ルーティング方式には、静的ルーティングか動的ルーティングかの別を設定し、静的ルーティングの場合には、「ＳＴＡＴ」、動的ルーティングの場合にはルーティングプロトコル名（ＲＩＰ，ＲＩＰ２，ＯＳＰＦなど）が設定される。
【００３５】
図１３は図３に示すルータ網５２についてのルーティングテーブル１２４の一例を示す図である。図１３に示すように、各ルータ８０＃Ｆ〜８０＃Ｉを自設備として、宛先端設備、次設備、プロトコル、ルーティング方式、稼動状態及び異常原因がルーティングテーブル１２４に格納されている。本例では、ＨＴＴＰプロトコルを使用するデータはルータ８０＃Ｆ→ルータ８０＃Ｇ→ルータ８０＃Ｉの経路で送信され、ＦＴＰプロトコルを使用するデータはルータ８０＃Ｆ→ルータ８０＃Ｈ→ルータ８０＃Ｉの経路で送信されて、プロコル毎にルートが管理される。
【００３６】
作業情報テーブル１２８は、設備・区間・ルータ網を人為的に停止する場合に、停止期間と停止目的を事前に登録するテーブルであり、作業対象が階層網５０やルータ網５２を構成する設備／区間／網のいずれであるかを示す区分、作業対象の設備／区間／網、作業開始予定時刻、作業終了予定時刻及び作業内容が格納される。事前に登録することにより、多ルート化された網や回線を構成するルート上で複数の作業によって網や回線の停止が発生することを予知でき、作業期間の調整を行うことによって停止を回避すること、停止期間を短縮することができる。
【００３７】
図１４は作業情報テーブル１２８の一例を示す図である。図１４に示すように、例えば、無線機７２＃Ｃが定期点検により停止される場合は、区分が設備、作業対象が無線機７２＃Ｃ、作業開始時刻及び作業終了時刻が格納される。また、ルータ８０＃Ｈ〜８０＃Ｉ間のケーブル取替作業が行われる場合には、区分が区間、作業対象がルータ８０＃Ｈ〜８０＃Ｉ間、作業開始時刻及び作業終了時刻が格納される。また、作業情報テーブル１２８に付随して、傘テーブル１２０や回線構成テーブル１２６に階層網５０の設備接続情報、ルータ網５２のセクションテーブル１２２に設備接続情報やルーティングテーブル１２４にルーティング情報を入力可能としている。
【００３８】
例えば、網ＮＷ１の新設工事情報として、セクションテーブルとルーティングテーブルを入力し、工事が完成するまでは仮のテーブルとして管理し、新設工事完了時に二つのテーブルをリレーショナルデータベース１０６のセクションテーブル１２２とルーティングテーブル１２４に反映する。また、ルーティングテーブル１２４は、運用者からの指示又は予め決められた契機により、情報収集・配信部１０２よりルータ８０＃ｉ（ｉ＝Ｆ〜Ｉ）に対して配信可能とする。
【００３９】
情報収集・配信部１０２は、（Ｉ）階層網５０、ルータ網５２を構成する各通信設備より通信設備，通信設備に接続される伝送路の障害情報を取得して、障害の設備、区間、セクションに該当する稼動状態に異常及びその異常原因を設定すること、（ＩＩ）ルータ網５２がダイナミックルーティングを行う場合には、ルータ網５２を構成するルータ設備よりＲＩＰ等のダイナミックルーティングプロトコルにより決定されるルーティング情報を取得すること、（ＩＩＩ）傘テーブル１２０に基づいて階層網５０を構成する設備に設定情報を配信すること、（ＩＶ）セクションテーブル１２２に基づいて、各ルータ８０＃ｉ（ｉ＝Ｆ〜Ｉ）に対してルーティングテーブル１２４に格納されたルーティング情報を配信することを実行する。
【００４０】
状態判定部１０４は、（Ｉ）作業情報テーブル１２８に格納された作業対象が通信設備又は伝送路であるとき、当該通信設備を始端又は終端、若しくは伝送路に接続される通信設備を始端又は終端とする区間又はセクション（作業に係わる区間又はセクション）を傘テーブル１２０又はセクションテーブル１２２より検索、（ＩＩ）作業開始時刻及び作業終了時刻より、作業前／作業中／作業終了のいずれであるか判断、（ＩＩＩ）作業対象が階層網５０を構成する設備であるとき、傘テーブル１２０及び回線構成テーブル１２６の当該作業に係わる区間の下位区間を順次検索して作業により影響のある全ての区間及び回線を特定、（ＩＶ）作業前であれば、作業による影響の受ける全ての区間／セクションを表示装置９２や印刷装置９４に出力、（Ｖ）作業中であれば、作業により区間／セクションについて、傘テーブル１２０／セクションテーブル１２２／ルーティングテーブル１２４の稼動状態を「異常」、異常原因を「作業」と設定するとともに作業影響を受けたことを表示装置９２や印刷装置９４に出力、（ＶＩ）通信設備や伝送路に障害が起こり、傘テーブル１２０に登録されている区間の稼動状態が「異常」、異常原因が「故障」の場合に、傘テーブル１２０及び回線構成テーブル１２６より当該故障に係わる区間について、該区間と同レベルの区間及び該区間の下位区間（二次障害区間）の稼動状態を「異常」、異常原因「故障」とし、障害のあった区間／セクション／回線を一次障害／二次障害のいずれであるか区別して表示装置９２や印刷装置９４に出力、（ＶＩＩ）ルータや伝送路に障害が起こり、セクションテーブル１２２に登録されているセクションの稼動状態が「異常」、異常原因「故障」の場合に、ルーティングテーブル１２４及び回線構成テーブル１２６より当該故障に係わるセクションの始端又は終端のルータを自設備又は宛先設備とするルーティング情報について稼動状態を「異常」、異常原因「故障」、ルータ網５２を経由する回線の全ルートのセクションの稼動状態を「異常」であるとき、回線構成テーブル１２６の該回線の稼動状態を「異常」、異常原因「故障」とするとともに障害のあったセクション／回線を表示装置９２や印刷装置９４に出力、（ＶＩＩＩ）故障の発生したルート以外の正常稼動しているルートに切り替える制御をする。尚、図示しないが端設備６０＃Ａから送出されたデータをＭＵＸ７０＃Ｂとルータ８０＃Ｆにデータの種別に応じて振り分けるためのスイッチが設けられる。
【００４１】
以下、設備／区間／セクションが故障した場合又は設備／区間／ネットワークの作業時の図２の動作説明を行う。
【００４２】
（ａ）  ルータが障害で停止した場合
図１５はルータ８０＃Ｇが障害で停止した場合のセクションテーブル１２２の管理例を示す図である。ルータ８０＃Ｇが障害で停止すると、情報収集・配信部１０２は、所定のプロトコルによりルータ８０＃Ｇが障害で停止したことを検出し、セクションテーブル１２２のセクションの始端又は終端がルータ８０＃Ｇであるレコードを検索する。当該レコードについて、図１５に示すように、セクションの稼動状態を「異常」、異常原因を「ルータ８０＃Ｇの障害」と設定する。このセクションテーブル１２２では、ルータ８０＃Ｆ〜ルータ８０＃Ｉのセクションが正常であるため、網ＮＷ１は正常である。
【００４３】
図１６はルータ８０＃Ｇが障害で停止した時のルーティングテーブル１２４の管理例を示す図である。状態判定部１０４は、情報収集・配信部１０２よりルータ８０＃Ｇが障害で停止したことが検出されると、図１６に示すように、ルーティングテーブル１２４から、ルータ８０＃Ｇが自設備／次設備であるレコードを検索して、当該レコードの移動状態を「異常」、異常原因を「ルータ８０＃Ｇの障害」と設定する。
【００４４】
この結果、ＦＴＰプロトコルではルータ８０＃Ｆ〜ルータ８０＃Ｉ間の送信が正常に行われるが、ＨＴＴＰプロトコルでは送信が行われない（網が停止状態にある）。このように、物理的な接続関係を管理するセクションテーブル１２２では正常であると判断されても、論理的な接続関係を管理するルーティングテーブル１２４では異常と判断される場合があるので、正確な判断を行うにはルーティングテーブル１２４が必要である。
【００４５】
状態判定部１０４は、情報収集・配信部１０２よりルータ８０＃Ｇが障害で停止したことが検出されると、ルーティングテーブル１２４を検索して端設備８０＃Ａ〜端設備８０＃Ｊへの各ルートについて、稼動状態が異常となっているルーティング情報が存在するか否かを判断し、異常となっているルーティング情報が存在すれば、該ルートについて、異常であると判断する。ここでは、ルータ８０＃Ｆ→ルータ８０＃Ｇ→ルータ８０＃ＩのＨＴＴＰプロトコルのルートが異常である判断される。また、ルータ８０＃Ｆ→ルータ８０＃Ｈ→ルータ８０＃ＩのＦＴプロトコルのルートが正常であると判断される。ルータＮＷ１における全ルートが異常であるとき、回線構成テーブル１２６のＮＷ１を経由する回線の稼動状態を「異常」、異常原因を「ルータ８０＃Ｇの障害」と設定する。
【００４６】
状態判定部１０４は、セクションテーブル１２２、ルーティングテーブル１２４及び回線構成テーブル１２６より、稼動状態が「異常」であるレコードを検索して、異常となっているセクション及び異常となっているルート並びに異常原因が「ルータ８０＃Ｇの障害」であることを表示装置９２又は印刷装置９４に出力する。
【００４７】
尚、ルーティング方式が動的ルーティング方式である場合には、ルータが故障したときは、ルートが変更になるが、ルートが変更されたことが、ルート変更に係わるルータより情報収集・配信部１０２に通知されて、情報収集・配信部１０２によりルーティングテーブル１２４が更新されることから、状態判定部１０４は、ルータ故障に係わるルーティングテーブル１２４の更新後の情報に基づいて故障を判断して、セクションの故障及び故障ルートを表示装置９２又は印刷装置９４に出力する。
【００４８】
（ｂ）  ルータ間の伝送路が障害で停止した場合
図１７はルータ８０＃Ｇの障害及びルータ８０＃Ｈとルータ８０＃Ｉ間の伝送路が障害で停止した場合のセクションテーブル１２２の管理例を示す図である。ルータ８０＃Ｇの障害に係わるセクションテーブル１２２の更新は（ａ）と同様である。更に、ルータ８０＃Ｈとルータ８０＃Ｉ間の伝送路が障害で停止すると、情報収集・配信部１０２は、所定のプロトコルによりルータ８０＃Ｈとルータ８０＃Ｉ間の伝送路が障害で停止したことを検出し、セクションテーブル１２２のセクションの始端がルータ８０＃Ｈ又はルータ８０＃１且つ終端がルータ８０＃Ｈ又はルータ８０＃Ｉであるレコードを検索する。図１７に示すように、当該レコードについて、セクションの稼動状態を「異常」、異常原因を「ルータ８０＃Ｈとルータ８０＃Ｉ間の伝送路の障害」と設定する。このセクションテーブル１２２でも、ルータ８０＃Ｆ〜ルータ８０＃Ｉのセクションが正常であるため、セクションテーブル１２２からはＮＷ１は正常状態であると判断される。
【００４９】
図１８はルータ８０＃Ｇが障害及びルータ８０＃Ｈとルータ８０＃Ｉ間の伝送路が障害で停止した場合のルーティングテーブル１２４の管理例を示す図である。ルータ８０＃Ｇの障害に係わるルーティングテーブル１２４の更新は（ａ）と同様である。状態判定部１０４は、情報収集・配信部１０２よりルータ８０＃Ｈとルータ８０＃Ｉ間の伝送路が障害で停止したことが検出されると、ルーティングテーブル１２４から、ルータ８０＃Ｈ又はルータ８０＃Ｉが自設備、且つルータ８０＃Ｉ又はルータ８０＃Ｈが次設備であるレコードを検索して、図１８に示すように、当該レコードの稼動状態を「異常」、異常原因を「ルータ８０＃Ｈとルータ８０＃Ｉ間の伝送路の障害」と設定する。
【００５０】
ルータ８０＃Ｈ〜ルータ８０＃Ｉ間が異常のため、自設備及び次設備にルータ８０＃Ｈとルータ８０＃Ｉを持つルートが異常状態になる。この結果、ＨＴＴＰプロトコルだけでなく、ＦＴＰプロトコルでもルータ８０＃Ｆ〜ルータ８０＃Ｉ間の送信が行われない（網が停止状態にある）と判断される。
【００５１】
図１９はルータ８０＃Ｇが障害及びルータ８０＃Ｈとルータ８０＃Ｉ間の伝送路が障害で停止した場合の回線構成テーブル１２６の管理例を示す図である。ルータ８０＃Ｇの障害に係わる回線構成テーブル１２６の更新は（ａ）と同様である。状態判定部１０４は、図１９に示すように、回線構成テーブル１２６に登録されたルート２側は網ＮＷ１が停止状態であることから構成の稼動状態を「異常」として、異常原因「ルータ８０＃Ｇの障害，ルータ８０＃Ｈとルータ８０＃Ｉ間障害」とする。第１のルート側は正常状態であるため、回線６０＃Ａ〜６０＃Ｊは正常であると判断される。状態判定部１０４は、セクションテーブル１２２、ルーティングテーブル１２４及び回線構成テーブル１２６より、（ａ）と同様にして、障害情報を表示装置９２又は印刷装置９４に出力する。
【００５２】
（ｃ）  階層網５０の設備装置や伝送路が故障により停止した時
階層網５０の設備装置や伝送路が故障により停止した時、（ａ），（ｂ）におけるセクションテーブル１２２及び回線構成テーブル１２６の更新と同様にして、傘テーブル１２０及び回線構成テーブル１２６が更新され、表示装置９２や印刷装置９４に表示される。尚、階層網５０の設備装置や伝送路が故障により停止した時、当該設備装置や伝送路の故障に係わる区間及び当該区間を上位区間とする全ての下位区間について、傘テーブル１２０の稼動状態「異常」、異常原因「故障」、最下位の区間を構成とするレコードについて、回線構成テーブル１２６の回線の稼動状態を「異常」、異常原因「故障」に更新する。例えば、無線機７２＃Ｃが故障した時、無線機７２＃Ｃを始端又は終端とするレコード、無線機７２＃Ｃを含む区間を上位区間とするＭＵＸ７０＃Ｂ−ＭＵＸ７０＃Ｅの区間のレコードについて、区間の稼動状態「異常」、異常原因「無線機７２＃Ｃの故障」が設定される。
【００５３】
（ｄ）  階層網５０の設備装置や伝送路を作業により停止した時
図２０は無線機７２＃Ｃの定期点検作業を登録した場合の作業情報テーブル１２８の管理例を示す図である。無線機７２＃Ｃの定期点検作業が行われる場合には、オペレータは構成管理部１００を通して、図２０に示すように、作業情報テーブル１２８に区分が「設備」、作業対象「無線機７２＃Ｃ」、作業開始時刻及び終了時刻、並びに作業内容「定期点検」とするレコードを登録する。
【００５４】
図２１は無線機７２＃Ｃが作業で停止した時の傘テーブル１２０の管理例を示す図である。状態判定部１０４は、作業情報テーブル１２８より、作業開始時刻及び作業終了時刻から、作業前／作業中のレコードを検索して、当該レコードについての作業対象から、傘テーブル１２０、又はセクションテーブル１２２及びルーティングテーブル１２４、並びに構成管理テーブル１２６より、（ａ）〜（ｃ）と同様に、作業により停止する区間を特定する。
【００５５】
無線機７２＃Ｃが作業で停止すると、図２１に示すように、始端又は終端に無線機７２＃Ｃを持つ区間が異常状態となる。次に異常状態になった区間Ｃ〜Ｄを上位区間に持つ区間Ｂ〜Ｅが異常状態になり、続いて、区間Ｂ〜Ｅを上位に持つ端設備６０＃Ａ〜６０＃Ｊが異常状態となる。端設備６０＃Ａ〜６０＃Ｊが異常状態になるが、回線の第２のルートが網構成を含んでいるため、傘テーブル１２０だけでは、回線の停止判定ができない。状態判定部１０４は、異常状態となった区間及びこれらの区間が異常となる期間（工事前及び工事中の時）を表示装置９２及び印刷装置９４に出力する。
【００５６】
これにより、工事期間中はルータ網５２の他ルートに回線を切り替えることが可能である。工事が終了すると、作業情報テーブル１２８より工事に係わるレコードの削除及び工事が終了した旨を表示装置９２及び印刷装置９４に出力する。
【００５７】
図２２は無線機７２＃Ｃ、ルータ８０＃Ｇ、及びルータ８０＃Ｈ〜ルータ８０＃Ｉ間の伝送路が停止した時の回線構成テーブル１２６の管理例を示す図である。この場合は、第１のルート側が作業で停止し、第２のルート側が障害で停止しているので回線６０＃Ａ〜６０＃Ｊが停止したと判断されて、図２２に示すように、回線構成テーブル１２６が更新される。このような回線停止を未然に防止するため、図１９で示した状態で図２０に示す作業を実施しようとした時には、回線の複数ルート停止が発生することを運用者に通知し、作業を実施してもよいか否かの判断を仰ぐ。運用者が実施可と応答した時には無線機７２＃Ｃを停止状態とし、実施不可と応答した時には無線機７２＃Ｃを稼動状態のままに保つ。
【００５８】
以上説明したように、リレーショナルデータベースを使用して階層網とルータ網が混在するネットワークの構成管理が可能となる。階層網とルータ網が混在するネットワークの停止を事前及びリアルタイムに検出できる。更に、網構成のネットワークにおいて、プロトコル毎の停止判定ができる。
【００５９】
本発明は以下の付記を含む。
（付記１）
データの多重化・分離を行う複数の通信設備及び該通信設備間を接続する伝送路により複数レベルに階層構成された階層網並びにパケットに設定された送信先アドレスに基づいてルーティングする複数のルータ及び該ルータ間を接続する伝送路から成るルータ網を管理する通信ネットワーク管理システムにおいて、
前記階層網に収容される送信元の第１の端設備と受信先の第２の端設備間について、前記第１の端設備が前記第２の端設備宛に送信したデータを受信して上位通信設備に送信する通信設備を始端及び上位通信設備より受信して前記第２の端設備に送信する通信設備を終端とする回線を示す構成情報を含む回線構成テーブルと、
前記始端及び前記終端とする区間並びに前記階層構成上同一レベルの通信設備を始端及び終端とする前記区間の上位の全ての区間について、該区間の始端及び終端を示す区間情報及び該区間の上位区間の始端及び終端を示す上位区間情報を含む傘テーブルと、
前記各通信設備及び前記各伝送路の障害情報を収集する情報収集部と、
前記傘テーブルを検索して、前記情報収集部により収集された障害の通信設備が始端又は終端である区間若しくは前記情報収集部により収集された障害の伝送路に接続される通信設備が始端又は終端である区間及び該区間を上位区間とする下位の区間を特定して、これらの区間の稼動状態が故障により異常が発生したことを出力装置に出力する判定部と、
を具備したことを特徴とする通信ネットワーク管理システム。
（付記２）
前記判定部は、前記回線構成テーブルを検索して、前記情報収集部により収集された障害の通信設備が始端又は終端である区間若しくは前記情報収集部により収集された障害の伝送路に接続される通信設備が始端又は終端である区間の下位区間である回線を特定して、該回線の稼動状態が故障により異常が発生したことを前記出力装置に出力することを特徴とする通信ネットワーク管理システム。
（付記３）
前記通信設備又は前記伝送路について、該通信設備又は該伝送路を特定する作業対象、作業開始及び終了時刻及び作業内容を示す作業情報を格納する作業情報テーブルを更に具備し、前記判定部は、前記傘テーブルを検索して、前記作業情報テーブルに格納された作業対象の通信設備を始端又は終端若しくは作業対象の伝送路に接続される通信設備を始端又は終端とする区間及び該区間を上位区間とする下位の区間を特定して、当該作業開始時刻及び作業終了時刻に基づいてこれらの区間の稼動状態が作業により異常が発生する又は作業により発生していることを前記出力装置に出力することを特徴とする付記１記載の通信ネットワーク管理システム。
（付記４）
前記隣接するルータについて送信ルータを始端及び受信ルータを終端とするセクションを定義するセクション情報を格納するセクションテーブルと、各ルータについてルーティング情報を格納するルーティングテーブルとを備え、前記作業テーブルには、前記ルータ又は該ルータ間を接続する伝送路について、該ルータ又は該伝送路を特定する作業対象、作業開始及び終了時刻及び作業内容を示す作業情報が格納され、前記判定部は、前記セクションテーブルを検索して、前記作業対象のルータを始端又は終端とするセクション若しくは作業対象の伝送路に接続されるルータを始端又は終端とするセクションを特定して、当該作業開始時刻及び作業終了時刻に基づいて該セクションの稼動状態が作業により異常が発生する又は異常が発生していることを前記出力装置に出力する付記３記載の通信ネットワーク管理システム。
（付記５）
前記判定部は、前記ルーティングテーブルを検索して、前記作業情報テーブルに格納された作業対象のルータ又は作業対象の伝送路に接続されるルータを特定して、当該作業開始時刻及び作業終了時刻に基づいて該ルータを経由するルートについて稼動状態が作業により異常が発生する又は異常が発生していることを前記出力装置に出力することを特徴とする付記４記載の通信ネットワーク管理システム。
（付記６）
前記ルーティングテーブルに格納された各ルータについて、ルーティング方式が静的ルーティング方式及び動的ルーティング方式のいずれであるかを示すルーティング方式情報を含み、前記情報収集部は、動的ルーティング情報を取得して、前記ルーティングテーブルを更新し、前記ルータ又は前記伝送路の故障情報を取得して、前記ルーティングテーブルを検索して、前記故障したルータ又は故障した伝送路に接続されるルータを特定して、該ルータに係わるルートについて稼動状態が故障により異常が発生したことを前記出力装置に出力することを特徴とする付記５記載の通信ネットワーク管理システム。
（付記７）
前記判定部は、前記傘テーブル及び前記構成テーブルの各区間に、稼動状態を示す稼動情報及び稼動状態が異常である場合の異常原因を設定することを特徴とする付記３記載の通信ネットワーク管理システム。
（付記８）
前記判定部は、前記セクションテーブルの各セクション及び前記ルーティングテーブルの各ルーティング情報に、稼動状態を示す稼動情報及び稼動状態が異常である場合の異常原因を設定することを特徴とする付記４記載の通信ネットワーク管理システム。
（付記９）
前記傘テーブルには、前記区間の始端の通信設備の入力ポート及び終端の通信設備の出力ポート毎に区間情報が格納されることを特徴する付記１記載の通信ネットワーク管理システム。
（付記１０）
前記ルーティングテーブルには、各ルーティング情報について、アプリケーション層のプロトコル情報が格納され、前記判定部は、前記ルーティングテーブルのプロトコル情報に基づいてプロトコル毎に前記ルータ網を経由する前記第１の端設備から前記第２の端設備までのルートの正常／異常を判定することを特徴とする付記４記載の通信ネットワーク管理システム。
（付記１１）
前記判定部は、前記第１の端設備から前記第２の端設備までの前記階層網を経由するルート及び前記ルータ網を経由するルートについて、前記作業情報テーブルに格納された作業が行われた場合に、１つ又は複数又は全てのルートが異常状態になるか否かを判定し、１つ又は複数又は全てのルートが異常状態になる場合には、その旨を前記出力装置に出力することを特徴とする付記４記載の通信ネットワーク管理システム。
【図面の簡単な説明】
【００６０】
【図１】本発明の原理図である。
【図２】本発明の実施形態による通信管理システムを示す図である。
【図３】図２の構成の一例を示す図である。
【図４】図２の構成の他の例を示す図である。
【図５】図２の構成の他の例を示す図である。
【図６】図３の階層網についての傘テーブルの一例を示す図である。
【図７】図４の階層網についての傘テーブルの一例を示す図である。
【図８】図５の階層網についての傘テーブルの一例を示す図である。
【図９】図３のルータ網についてのセクションテーブルを示す図である。
【図１０】図３の階層網及びルータ網についての回線構成テーブルを示す図である。
【図１１】図４の階層網及びルータ網についての回線構成テーブルを示す図である。
【図１２】図５の階層網及びルータ網についての回線構成テーブルを示す図である。
【図１３】図３のルータ網についてのルーティングテーブルを示す図である。
【図１４】作業情報テーブルの一例を示す図である。
【図１５】ルータＧが障害で停止した時のセクションテーブルを示す図である。
【図１６】ルータＧが障害で停止した時のルーティングテーブルを示す図である。
【図１７】ルータＧ及びルータＨ−ルータＩ間の伝送路が障害で停止した時のセクションテーブルを示す図である。
【図１８】ルータＧ及びルータＨ−ルータＩ間の伝送路が障害で停止した時のルーティングテーブルを示す図である。
【図１９】ルータＧ及びルータＨ−ルータＩ間の伝送路が障害で停止した時の回線構成テーブルを示す図である。
【図２０】無線機Ｃが定期点検作業を登録した時の作業情報テーブルを示す図である。
【図２１】無線機Ｃが作業で停止した時の傘テーブルを示す図である。
【図２２】無線機Ｃ、ルータＧ及びルータＨとルータＩ間の伝送路が停止した時の回線構成テーブルを示す図である。
【符号の説明】
【００６１】
１０  通信ネットワーク管理システム
１２  階層網
１４  ルータ網
１８＃ｉ（ｉ＝１〜ｎ＋１）  通信設備
１９  伝送路
２０  ルータ
３０  回線構成テーブル
３２  傘テーブル
３４  情報収集部
３６  判定部
【図１】
2006074310.tif 000003
【図２】
2006074310.tif 000004
【図３】
2006074310.tif 000005
【図４】
2006074310.tif 000006
【図５】
2006074310.tif 000007
【図６】
2006074310.tif 000008
【図７】
2006074310.tif 000009
【図８】
2006074310.tif 000010
【図９】
2006074310.tif 000011
【図１０】
2006074310.tif 000012
【図１１】
2006074310.tif 000013
【図１２】
2006074310.tif 000014
【図１３】
2006074310.tif 000015
【図１４】
2006074310.tif 000016
【図１５】
2006074310.tif 000017
【図１６】
2006074310.tif 000018
【図１７】
2006074310.tif 000019
【図１８】
2006074310.tif 000020
【図１９】
2006074310.tif 000021
【図２０】
2006074310.tif 000022
【図２１】
2006074310.tif 000023
【図２２】
2006074310.tif 000024